(57)【要約】【課題】共用化したインバータで複数の加熱コイルを同時に動作させる際に、一方の加熱コイルに付随する半導体スイッチが故障すると、もう一方の加熱コイルも動作が停止する。【解決手段】平滑コンデンサ９と直列に電流検出手段１０を設け、一方の加熱コイルに付随する半導体スイッチの一つが故障した場合、過電流保護手段１１で対の半導体スイッチを即停止させた後、定常的に停止させ、もう一方の加熱コイルの付随する半導体スイッチは動作を継続させる。【選択図】図１
2011048919.tif 000002
【特許請求の範囲】
【請求項１】
交流電源を整流する整流回路と、前記整流回路の出力を平滑する平滑コンデンサと、前記平滑コンデンサの出力を半導体スイッチを用い所定の周波数の電力に変換し第１および第２の加熱コイルに高周波電力を供給するために並列に配置された第１および第２のインバータと、前記半導体スイッチに流れる電流の経路に設けた電流検出手段と、前記電流検出手段の出力に基づき前記半導体スイッチを強制停止する過電流保護手段とを備え、前記過電流検出手段により過電流を検出した場合、過電流を検出したインバータの動作を禁止し、過電流の検出がないインバータの動作を継続させる誘導加熱装置。
【請求項２】
平滑コンデンサを複数に分割すると供に、前記平滑コンデンサの１個と直列に電流検出手段を接続した請求項１に記載の誘導加熱装置。
【請求項３】
複数のインバータを同時動作時、電流検出手段により過電流を検出すると、過電流保護手段により第１及び第２のインバータを停止させた後、第１のインバータと第２にインバータを順次動作させ、故障したインバータを特定する請求項１または２に記載の誘導加熱装置。
【請求項４】
電流検出手段により、同じインバータが連続して複数回過電流を検出した場合、過電流を検出したインバータの動作を禁止する請求項１〜３のいずれか１項に記載の誘導加熱装置。
【請求項５】
インバータが使用できないことを表示する表示手段を備え、過電流検出手段の検出によりインバータの動作を禁止したことを表示する請求項１〜４のいずれか１項に記載の誘導加熱装置。
【請求項６】
インバータは平滑コンデンサと並列に、直列に接続された半導体スイッチの組みを、１組または複数組み持つ請求項１〜５のいずれか１項に記載の誘導加熱装置。
【請求項７】
交流電源と整流回路間に電流遮断手段を設けた請求項１〜６のいずれか１項に記載の誘導加熱装置。
【請求項８】
一方のインバータの動作を禁止した場合、動作を継続するインバータの定格電力を変更する請求項１〜７のいずれか１項に記載の誘導加熱装置。
【請求項９】
一方のインバータの動作を禁止した場合、動作を継続するインバータの機能を変更する請求項１〜８のいずれか１項に記載の誘導加熱装置。
【発明の詳細な説明】
【技術分野】
【０００１】
本発明は、高周波磁界による誘導加熱を利用して被加熱物の加熱を行う誘導加熱装置に関するものである。
【背景技術】
【０００２】
従来、この種の誘導加熱装置は、被加熱物を加熱する第１及び第２のインバータが故障した時に交流電源から第１及び第２のインバータを切り離すようにしている。図８は、従来の誘導加熱装置を示すものである。
【０００３】
図８に示すように、交流電源３１と第１及び第２の加熱コイル３６，３７と商用電源を整流する整流回路３２と、整流回路３２の電圧を平滑する平滑コンデンサ３９と、平滑コンデンサ３９の出力を高周波電力に変換し第１及び第２の加熱コイル３６，３７に高周波電力を供給する第１及び第２のインバータ３４，３５と、交流電源３１からの入力電流や、第１及び第２の加熱コイル３６，３７の電流が設定値となるように第１及び第２のインバータ３４，３５内にある半導体スイッチの動作状態を制御するマイクロコンピュータなどで構成される制御手段３８と、第１及び第２にインバータ３４，３５が故障したときに交流電源３１から第１及び第２のインバータ３４，３５を切り離す電流遮断手段４０から構成されている。
【０００４】
従来の誘導加熱装置について、動作を説明する。図８において、制御手段３８は、交流電源３１からの入力電流をカレントトランスなどで構成される検出手段で検出し、入力電流が予め設定された電流値になるように第１及び第２のインバータ３４，３５内の半導体スイッチの導通時間を制御することで、第１及び第２のインバータ３４，３５に接続された第１及び第２の加熱コイル３６，３７に必要な高周波電流を供給する。
【０００５】
第１及び第２の加熱コイル３６，３７に供給された高周波電流により、第１及び第２の加熱コイル３６，３７より発生する高周波磁界が、加熱コイルと磁気的に結合する鍋などに印可され、この高周波磁界により負荷に渦電流が発生し、この渦電流と鍋自身の表皮抵抗により鍋自身が発熱することになる。
【０００６】
一方、第１及び第２のインバータ３４，３５が故障などにより過電流状態になった時はヒューズなどの電流遮断手段４０の働きにより交流電源３１と第１及び第２のインバータは切り離され、以後、第１及び第２の加熱コイル３６，３７は使用できない状態となる。
【先行技術文献】
【特許文献】
【０００７】
【特許文献１】米国特許出願公開第２００７／０１３５０３７号明細書
【発明の概要】
【発明が解決しようとする課題】
【０００８】
しかしながら、前記従来の構成では、一方のインバータ内の半導体スイッチが短絡状態で故障した場合に、整流手段の前に配置されているヒューズなどの電流遮断手段が働くため、整流回路を共有している構成では第１及び第２のインバータに電源からの電力の供給がなくなり、第１の加熱コイル及び第２の加熱コイルとも使用できなくなる課題が生じることになる。
【０００９】
また、第１及び第２のインバータで別々に電流遮断手段を配置する場合、インバータ内
が直流かつ大電流が流れることから電源遮断手段がヒューズなどの小形の部品ではなく、リレーなどの大型部品を使用する必要が生じ、インバータ回路が大型し、筐体内に収納できないなどの課題を有していた。
本発明は、前記従来の課題を解決するもので、２つのインバータを動作させる方式において、一方のインバータの半導体スイッチの一つが故障した場合でも、故障した半導体スイッチを含まないインバータが接続された加熱コイルの動作を継続するようにして、故障時でも利便性を損なわないようにした誘導加熱装置を提供することを目的とする。
【課題を解決するための手段】
【００１０】
前記従来の課題を解決するために、本発明の誘導加熱装置は、交流電源を整流する整流回路と、前記整流回路の出力を平滑する平滑コンデンサと、前記平滑コンデンサの出力を半導体スイッチを用い所定の周波数の電力に変換し第１および第２の加熱コイルに高周波電力を供給するために並列に配置された第１および第２のインバータと、前記半導体スイッチに流れる電流の経路に設けた電流検出手段と、前記電流検出手段の出力に基づき前記半導体スイッチを強制停止する過電流保護手段とを備え、前記過電流検出手段により過電流を検出した場合、過電流を検出したインバータの動作を禁止し、過電流の検出がないインバータの動作を継続させるとしたものである。
【００１１】
これによって、整流回路を共用化した構成で２つのインバータを動作させる方式において、一方の半導体スイッチの一つが故障した場合でも、故障した半導体スイッチを含まないインバータが接続された加熱コイルは動作を継続することができる。
【発明の効果】
【００１２】
本発明の誘導加熱装置は、整流回路を共用化した構成で２つのインバータを動作させる方式において、一方のインバータの半導体スイッチの一つが故障した場合でも、故障した半導体スイッチを含まないインバータが接続された加熱コイルは動作を継続することができるため、故障時でも利便性を損なわないようにすることができる。
【図面の簡単な説明】
【００１３】
【図１】本発明の実施の形態１における誘導加熱装置の回路構成を示す図
【図２】本発明の実施の形態１における誘導加熱装置の動作を示すシーケンス図
【図３】本発明の実施の形態１における誘導加熱装置の別の動作を示すシーケンス図
【図４】本発明の実施の形態１における誘導加熱装置のさらに別の動作を示すシーケンス図
【図５】本発明の実施の形態２における誘導加熱装置の回路構成を示す図
【図６】本発明の実施の形態２における誘導加熱装置の別の回路構成を示す図
【図７】本発明の実施の形態３における誘導加熱装置の回路構成を示す図
【図８】従来の誘導加熱装置の回路構成を示す図
【発明を実施するための形態】
【００１４】
第１の発明は、交流電源を整流する整流回路と、前記整流回路の出力を平滑する平滑コンデンサと、前記平滑コンデンサの出力を半導体スイッチを用い所定の周波数の電力に変換し第１および第２の加熱コイルに高周波電力を供給するために並列に配置された第１および第２のインバータと、前記半導体スイッチに流れる電流の経路に設けた電流検出手段と、前記電流検出手段の出力に基づき前記半導体スイッチを強制停止する過電流保護手段とを備え、前記電流検出手段により過電流を検出した場合、過電流を検出したインバータの動作を禁止し、過電流の検出がないインバータの動作を継続させることにより、整流回路を共用化した構成で２つのインバータを動作させる方式において、一方の半導体スイッチの一つが故障した場合でも、故障した半導体スイッチを含まないインバータが接続された加熱コイルは動作を継続することができるため、故障時でも利便性を損なわないように
することができる。
【００１５】
第２の発明は、特に、第１の発明の平滑コンデンサを複数に分割するとともに、前記平滑コンデンサの１個と直列に電流検出手段を接続することにより、電流検出手段が１つで、第１及び第２にインバータの半導体の故障に伴う過電流を検出することが可能となり、インバータが小型化することでコンパクトな誘導加熱装置を実現することができる。
【００１６】
第３の発明は、特に、第１または第２の複数のインバータを同時動作時、電流検出手段により過電流を検出すると、過電流保護手段により第１及び第２のインバータを停止させた後、第１のインバータと第２のインバータを順次動作させ、故障したインバータを特定することにより、整流回路を共用化した構成で２つのインバータを動作させる方式において、一方の半導体スイッチの一つが故障した場合でも、故障した半導体スイッチを含まないインバータが接続された加熱コイルは動作を継続することができるため、故障時でも利便性を損なわないようにすることができる。
【００１７】
第４の発明は、特に、第１〜３のいずれか１つの発明の電流検出手段により、同じインバータが連続して複数回過電流を検出した場合、過電流を検出したインバータの動作を禁止することにより、半導体スイッチが瞬時短絡したことにより過電流保護が動作した場合においては機器の使用を制限することがないので、利便性を損なわないようにすることができる。
【００１８】
第５の発明は、特に、第１〜４のいずれか１つの発明においてインバータが使用できないことを表示する表示手段を備え、過電流検出手段の検出によりインバータの動作を禁止したことを表示することにより、片側のインバータが動作している状態で、使用者に機器の修理等の必要性を認識させ、修理を促進させることができ、故障時でも利便性を損なわないようにすることができる。
【００１９】
第６の発明は、特に、第１〜５のいずれか１つの発明のインバータは平滑コンデンサと並列に、直列に接続された半導体スイッチの組みを、１組または複数組み持つことにより、半導体スイッチの組みの一方の半導体スイッチが故障しても、半導体スイッチが非導通状態であれば電源が短絡状態になることがないため、故障した半導体スイッチを含まないインバータの動作が可能となり、故障時でも利便性を損なわないようにすることができる。
【００２０】
第７の発明は、特に、第１〜６のいずれか１つの発明の交流電源と整流回路間に電流遮断手段を設けることにより、半導体スイッチの組みが同時に故障した場合には、電流遮断手段で電源から第１及び第２のインバータを遮断することで、交流電源が短絡状態になることを防止することができ、安全性の高い誘導加熱装置とすることができる。
【００２１】
第８の発明は、特に、第１〜７のいずれか１つの発明の一方のインバータの動作を禁止した場合、動作を継続するインバータの定格電力を変更することにより、故障したインバータの機能の一部を兼ねることができるため、故障時でも利便性を損なわないようにすることができる。
【００２２】
第９の発明は、特に、第１〜８のいずれか１つの発明の一方のインバータの動作を禁止した場合、動作を継続するインバータの機能を変更することにより、故障したインバータの機能の一部を兼ねることができるため、故障時でも利便性を損なわないようにすることができる。
【００２３】
以下、本発明の実施の形態について、図面を参照しながら説明する。なお、この実施の
形態によって本発明が限定されるものではない。
【００２４】
（実施の形態１）
本実施の形態は請求項１〜５に係わる。
【００２５】
図１は、本発明の第１の実施の形態における誘導加熱装置の回路構成を示す図である。図１において、交流電源１と、交流電源１を整流する整流回路２と、整流回路２の出力を平滑する平滑コンデンサ９と、平滑コンデンサ９の出力を高周波電力に変換する第１及び第２のインバータ４，５と、それぞれのインバータに接続されインバータから高周波電流が供給される第１及び第２の加熱コイル６，７と、第１及び第２のインバータ内の半導体スイッチを制御する制御手段８とで構成している。
【００２６】
ここで、第１のインバータ４と第１の加熱コイル６、及び第２のインバータ５と第２の加熱コイル７は、制御手段８の指令に従い、それぞれの加熱コイル上に戴置した鍋などの負荷を、加熱することになる。
【００２７】
平滑コンデンサ９には、電流検出手段１０が直列に接続され、第１及び第２にインバータ４，５に流れる電流を検出している。電流検出手段１０で検出された電流が所定値より大きい場合は、過電流保護手段１１が動作して、制御手段８により第１及び第２のインバータ４，５内の半導体スイッチが停止する様に動作することになる。
【００２８】
本実施の形態では、平滑コンデンサ９を複数に分割して、平滑コンデンサ９の１つには電流検出手段１０を設けている。この構成を取ることで、過電流検出手段に流れる電流を減らすことができるため、電流検出手段１０の小型化などの効果が期待できる。
【００２９】
また、平滑コンデンサ９は第１のインバータ４及び第２のインバータ５に電力を供給する電源としての働きがあるため、２個に分割してそれぞれのインバータの近傍に配置しているが、平滑コンデンサ９自体は、並列接続となるため、特にインバータが単独動作をする際は、双方の平滑コンデンサから電力がインバータに供給されることになり、第１のインバータ４および第２のインバータ５のどちらのインバータで過電流状態が生じても検出することは可能である。
【００３０】
なお、本実施の形態では平滑コンデンサと直列に電流検出手段を設けたが、半導体スイッチを流れる電流の経路、例えば半導体スイッチのエミッタ端子に直列に配置するなどであれば同様な効果が期待できる。
【００３１】
以上のように構成された誘導加熱装置について、以下その動作、作用を説明する。
【００３２】
図２は、本発明の第１の実施の形態における誘導加熱装置の動作を示すシーケンス図である。第１の加熱コイル６及び第２の加熱コイル７上の鍋などの負荷を同時に加熱している状態において（ｓｔｅｐ１）、電流検出手段１０が過電流を検出すると（ｓｔｅｐ２）、過電流保護手段１１により制御手段８が第１のインバータ４及び第２のインバータ５内の半導体スイッチを緊急停止させる（ｓｔｅｐ３）。
【００３３】
この状態では、半導体スイッチの故障により過電流発生であるか、電源の変動などにより生じた過電流発生であるか区別できないため、制御手段８は、第１のインバータを動作させ（ｓｔｅｐ４）、過電流の発生が再現するかの確認を行う（ｓｔｅｐ５）。
【００３４】
ここで、過電流が生じなかった場合は、制御手段８は、引き続き第２にインバータ５を動作させ（ｓｔｅｐ６）、過電流が発生するかの確認を行う（ｓｔｅｐ７）。
【００３５】
ここで、過電流が生じない場合は、制御手段８は、通常動作を継続する。一方、過電流が生じた場合には、制御手段８は第２のインバータ５が故障したと判断して、第２インバータの動作の停止（ｓｔｅｐ８ａ）及び禁止（ｓｔｅｐ８ｂ）を行い、第１のインバータ４の単独動作を行う（ｓｔｅｐ９）。
【００３６】
一方、第１のインバータの動作（ｓｔｅｐ４）で過電流検知（ｓｔｅｐ５）により過電流が確認されると、制御手段８は第１のインバータ４の動作を停止（ｓｔｅｐ１０）及び禁止（ｓｔｅｐ１１）を行い、第２にインバータ５を動作させる（ｓｔｅｐ１２）。
【００３７】
ここで、電流検出手段１０が過電流を検出した場合（ｓｔｅｐ１３）、第２のインバータの停止（ｓｔｅｐ１５）及び禁止（ｓｔｅｐ１６）を行い、結果第１及び第２のインバータ４，５は停止状態になる（ｓｔｅｐ１７）。
【００３８】
また、第２のインバータ５を動作させた際に、過電流検出がない場合（ｓｔｅｐ１３）は、第２のインバータ５の単独で動作する状態になる（ｓｔｅｐ１４）。
【００３９】
このように、第１または第２のインバータ４，５の半導体スイッチの１つが故障しても、電流検出手段１０で過電流を検出して、瞬時に過電流保護手段１１で停止させることで、残りの半導体スイッチが故障することを防止することができ、その後、順次インバータを動作させることで故障したインバータを特定し、故障していないインバータの動作を継続させることが可能となる。
【００４０】
なお、電流検出手段１０としてはシャント抵抗やカレントトランスなどで検出する方法があり、過電流保護手段１１で半導体スイッチを瞬時停止させるために、制御手段８内のマイコンを経由して信号を送る以外に、マイコンを経由せずに半導体スイッチをドライブするドライブ回路の入力を遮断する方法などがある。
【００４１】
また、図３は本発明の第１の実施の形態における誘導加熱装置の別の動作を示すシーケンス図である。
図３は、電流検出手段１０が過電流を検知した場合の別のシーケンスを示し、図１と同じ動作をするものには、同じ符号を付与している。本シーケンスでは、過電流を検出した後、第１または第２のインバータを動作させた際に、複数回過電流を検知した場合に、インバータの動作を禁止している（ｓｔｅｐ２０〜２５）。
【００４２】
例えば、ｓｔｅｐ５で第１のインバータで過電流を検出した場合、第１のインバータを停止させ（ｓｔｅｐ１０）、停止回数を数え（ｓｔｅｐ２０）、所定回数カウントされたら（ｓｔｅｐ２１）、第１のインバータの動作を禁止する（ｓｔｅｐ１１）工程を図２よりも増やしている。
【００４３】
このことで、電源変動などで過電流が生じた場合に、不必要にインバータの動作を禁止することを防止している。
【００４４】
あるいは、図４は本発明の第１の実施の形態における誘導加熱装置のさらに別の動作を示すシーケンス図である。
図４において、図１と同じ動作をするものには、同じ符号を付与している。本シーケンスでは、図４に示すようにインバータが動作禁止したことを、図示していない表示手段などで表示する（ｓｔｅｐ８、１１及び１６）ことで、機器使用者に修理・点検を促す効果が期待できる。
【００４５】
以上のように本実施の形態においては、整流回路２を共用化した構成で２つのインバータを動作させる方式において、電流検出手段１０により過電流を検出した場合、過電流を検出したインバータの動作を禁止し、過電流の検出がないインバータの動作を継続させることにより、半導体スイッチの一つが故障した場合でも、故障した半導体スイッチを含まないインバータが接続された加熱コイルの動作を継続することができるため、故障時でも利便性を損なうことのない誘導加熱装置を実現することができる。
【００４６】
（実施の形態２）
本実施の形態は請求項６に係わる。
【００４７】
図５は本発明の第２の実施の形態における誘導加熱装置の回路構成を示す図である。図１と同じ動作をするものは、同じ符号を付与している。
【００４８】
本実施の形態の構成が実施の形態１と異なるのは、第１のインバータ４内に第１の半導体スイッチの直列体２１と、半導体スイッチの直列体２１の半導体スイッチ間の接続部と平滑コンデンサ９の少なくとも一端に接続する第１の加熱コイル６と第１の共振コンデンサ２２の直列接続帯と、制御手段８の指令に従い第１の半導体スイッチの直列体２１の素子を交互に動作させる第１のドライブ回路２３と、第２のインバータ５内に第２の半導体スイッチの直列体２４と、半導体スイッチの直列体２４の半導体スイッチ間の接続部と平滑コンデンサ９の少なくとも一端に接続する第２の加熱コイル７と第２の共振コンデンサ２５の直列接続帯と、制御手段８の指令に従い第２の半導体スイッチの直列体２４の素子を交互に動作させる第２のドライブ回路２６を備えた点である。
【００４９】
以上のように構成された誘導加熱装置について、以下その動作、作用を説明する。
制御手段８は、交流電源１の入力電流や第１の加熱コイル６及び第２の加熱コイル７に流れるコイル電流や第１の共振コンデンサ２２及び第２の共振コンデンサ２５の両端の共振電圧などが、設定値になるように、第１ドライブ回路２３及び第２のドライブ回路２６により第１の半導体スイッチの直列体２１及び第２の半導体スイッチの直列体２４を駆動させる。
この際、第１の半導体スイッチの直列体２１及び第２の半導体スイッチの直列体２４は、それぞれ直列に接続されている半導体スイッチを交互に高周波（２０〜１００ｋＨｚ）で動作させることで、第１の加熱コイル６及び第２の加熱コイル７に高周波電流を供給することになる。
【００５０】
加熱コイルに高周波電流が供給されると加熱コイル上に戴置された鍋などの負荷に加熱コイルから高周波磁界が供給され、この高周波磁界により鍋などの負荷に渦電流が流れ、この渦電流と鍋などの負荷の抵抗値で発熱に至ることになる。
【００５１】
ここで、平滑コンデンサ９は、第１のインバータ４及び第２のインバータ５の電源として動作するため、第１及び第２に半導体スイッチが短絡動作などで、過電流が発生する状態になると、平滑コンデンサ９に直列に接続された電流検出手段１０により過電流を検出することになる。
【００５２】
過電流が検出されると、過電流保護手段１１により、第１及び第２のインバータが瞬時停止する動作を行うことになる。
【００５３】
ところで、半導体スイッチの自己発熱による温度上昇やＯＦＦ時に発生する過電圧による耐圧破壊などで半導体スイッチが短絡故障する場合は、まず片方の素子が短絡故障し、次に、もう一方の素子が導通状態になった時に大電流が素子にながれるため、電流検出手段１０がない状態では過電流により半導体スイッチの直列接続体の両方ともが破壊に至る
ことが多い。
【００５４】
逆に、電流検出手段１０で過電流を検出し、緊急停止させることで、一方の半導体スイッチは故障にいたらない場合が多くなる。この状態で、故障したインバータを特定し動作させないことで、もう一方のインバータの動作を継続させることが可能となる。
【００５５】
本実施の形態では、２石式のハーフブリッジ回路で説明したが、半導体スイッチの直列体を持つインバータでは同様な効果が期待でき、例えば図６の様に４石のフルブリッジ回路でも同様の効果を得ることができる。
【００５６】
以上のように本実施の形態では整流回路２を共用化した構成で２つのインバータを動作させる方式において、電流検出手段１０により過電流を検出した場合、過電流を検出したインバータの動作を禁止し、過電流の検出がないインバータの動作を継続させることにより、半導体スイッチの一つが故障した場合でも、故障した半導体スイッチを含まないインバータが接続された加熱コイルの動作を継続することができるため、故障時でも利便性を損なうことのない誘導加熱装置を実現することができる。
【００５７】
（実施の形態３）
本発明の第３の実施の形態を説明する。本実施の形態は請求項７に係わる。
【００５８】
図７は本発明の第３の実施の形態における誘導加熱装置の回路構成を示す図である。本実施の形態の構成が実施の形態１と異なるのは、交流電源１と整流回路２の間に、電流遮断手段１２を備えている点である。
【００５９】
以上のように構成された誘導加熱装置について、以下その動作、作用を説明する。
図７において、制御手段８は、設定値に従い第１の加熱コイル６及び第２の加熱コイル７に高周波電流を供給するため、第１のインバータ４及び第２のインバータ５内の半導体スイッチの直列体を交互に動作させることになる。
【００６０】
平滑コンデンサ９は、第１のインバータ４及び第２のインバータ５の電源として動作するため、第１及び第２の半導体スイッチが短絡動作などで、過電流が発生する状態になると、平滑コンデンサ９に直列に接続された電流検出手段１０により過電流を検出することになる。
【００６１】
過電流が検出されると、過電流保護手段１１により、第１及び第２のインバータが瞬時停止する動作を行うことになる。
【００６２】
通常、温度上昇やＯＦＦ時の過電圧により半導体スイッチが短絡故障する場合は、まず片方の素子が短絡故障し、次にもう一方の素子が導通状態になった時に大電流が素子にながれるため、電流検出手段１０がない状態では過電流により半導体スイッチの直列接続体の両方ともが破壊に至ることが多い。
【００６３】
逆に、電流検出手段１０で過電流を検出し、緊急停止させることで、一方の半導体スイッチは故障にいたらない場合が多くなる。この状態で、故障したインバータを特定し動作させないことで、もう一方のインバータの動作を継続させることが可能となる。
【００６４】
一方、半導体スイッチの直列体が同時に故障した場合には、電流検出手段１０で過電流を検出しても過電流保護手段１１では過電流を抑制できない。
【００６５】
そこで、電流遮断手段１２を設けることで、半導体スイッチの同時故障が生じた場合に
は第１のインバータ４及び第２のインバータ５への電源供給を遮断することで、安全性を確保することができる。
【００６６】
但し、電流手段が動作すると、以後第１のインバータ４、第２のインバータ５は動作を継続することはできないため、機器使用者に表示手段などで、修理を促すことが必要である。
【００６７】
以上の様に本実施の形態では、交流電源１と整流回路２間に電流遮断手段１２を設けることにより、半導体スイッチの組みが同時に故障した場合には、電流遮断手段１２で交流電源１から第１及び第２のインバータを遮断することで、交流電源１が短絡状態になることを防止することができ、安全性の高い誘導加熱装置を実現することができる。
【００６８】
（実施の形態４）
本発明の第４の実施の形態を説明する。本実施の形態は請求項８〜９に係わる。
本実施の形態の構成は実施の形態１と同じである。以下その動作、作用を説明する。実施の形態１〜３の構成の誘導加熱装置では、第１の加熱コイル６と第２の加熱コイル７が機器使用者から見て前後に配置される場合が多く、その際手前の加熱コイルの外径が大きく、最大電力も大きく、また機能も多い場合がある。これは、手前に配置されている方が使い勝手が良いためである。
【００６９】
ここで、例えば手前の加熱コイルを含むインバータが使用停止になった場合、定格電力の小さい加熱コイルを含むインバータのみで調理を行うことになるため、火力不足や使いたいメニューが使えないなどの課題が生じることになる。
【００７０】
このため、一方のインバータが故障した場合、故障後において、表１に示すように継続して使用する側のインバータの最大電力を上げることや、故障後において、表２のように設定メニューを追加することで、機器の故障時であっても不都合が少なく調理作業を行うことが可能となる。
【００７１】
【表１】
2011048919.tif 000003
【００７２】
【表２】
2011048919.tif 000004
【００７３】
以上の様に本実施の形態では、故障などで一方のインバータの動作が使用停止となった場合、動作を継続するインバータの定格電力を変更や設定メニューを変更することにより、故障したインバータの機能の一部を兼ねることができるため、故障時でも利便性を損なうことのない誘導加熱装置を実現することができる。
【産業上の利用可能性】
【００７４】
以上のように、本発明にかかる誘導加熱装置は、２つのインバータを動作させる方式において、一方のインバータの半導体スイッチの一つが故障した場合でも、故障した半導体スイッチを含まないインバータが接続された加熱コイルは動作を継続することができるため、故障時でも利便性を損なわないようにすることができるので、業務用、家庭用にかかわらずインバータを使用した機器の用途に適用できる。
【符号の説明】
【００７５】
１  交流電源
２  整流回路
４  第１のインバータ
５  第２のインバータ
６  第１の加熱コイル
７  第２の加熱コイル
８  制御手段
９  平滑コンデンサ
１０  電流検出手段
１１  過電流保護手段
１２  電流遮断手段
２１  第１の半導体スイッチの直列体
２２  第１の共振コンデンサ
２３  第１のドライブ回路
２４  第２の半導体スイッチの直列体
２５  第２の共振コンデンサ
２６  第２のドライブ回路
【図１】
2011048919.tif 000005
【図２】
2011048919.tif 000006
【図３】
2011048919.tif 000007
【図４】
2011048919.tif 000008
【図５】
2011048919.tif 000009
【図６】
2011048919.tif 000010
【図７】
2011048919.tif 000011
【図８】
2011048919.tif 000012